(57)【要約】【課題】不審者が上階部分から建物内へ侵入することに対して好適に抑止力を発揮する。【解決手段】建物１０において、外周面における一階部分１１と二階部分１２との境界部には幕板１５が設けられており、幕板１５には、その幕板１５に加えられた荷重を検出する幕板荷重センサが設けられている。二階部分１２には窓部３８が設けられており、窓部３８にはシャッタ装置５１が設けられている。シャッタ装置５１は、複数のスラットが上下に連結されたシャッタカーテンを有しており、シャッタカーテンにより窓部３８の閉鎖が可能になっているとともにスラット間を開閉可能となっている。ホームサーバは、幕板荷重センサの検出信号に基づいて不審者が上下階間にいるか否かを判定し、不審者がいると判定した場合に、シャッタ装置５１を制御し、窓部３８をシャッタカーテンにより閉鎖するとともにスラット間を開放させる。【選択図】図１
2010122775.tif 000002
【特許請求の範囲】
【請求項１】
建物の外壁周辺のうち上下階間に人がいることを検知する階間検知手段と、
前記階間検知手段により人が検知された場合に所定の警戒制御を実行する制御手段と
を備えていることを特徴とする建物の警備システム。
【請求項２】
前記階間検知手段として、外壁における上下階の境界部に加えられた荷重を検出する荷重検出手段を備え、
前記制御手段は、前記荷重検出手段により検出された荷重が所定荷重以上である場合に前記警戒制御を実行することを特徴とする請求項１に記載の建物の警備システム。
【請求項３】
前記制御手段は、前記荷重検出手段による荷重検出時間が所定時間以内である場合に前記警戒制御を実行することを特徴とする請求項２に記載の建物の警備システム。
【請求項４】
前記荷重検出手段は、前記境界部に設けられた幕板に加えられた荷重を検出することを特徴とする請求項２又は３に記載の建物の警備システム。
【請求項５】
前記階間検知手段により検知された人の建物における周方向の位置を特定する位置特定手段を備え、
前記制御手段は、前記位置特定手段により特定された位置に近い領域を対象とした警戒制御を優先的に実行することを特徴とする請求項１乃至４のいずれか１項に記載の建物の警備システム。
【請求項６】
前記位置特定手段により特定された位置に基づいて避難経路を設定する避難経路設定手段と、
前記避難経路設定手段により設定された避難経路を報知する避難経路報知装置と
を備え、
前記制御手段は、前記避難経路報知装置の報知制御を前記警戒制御として実行することを特徴とする請求項５に記載の建物の警備システム。
【請求項７】
上階部分の開口部を閉鎖可能なシャッタ装置を備え、
前記制御手段は、前記シャッタ装置により前記開口部を閉鎖させる制御を前記警戒制御として実行することを特徴とする請求項１乃至６のいずれか１項に記載の建物の警備システム。
【請求項８】
前記シャッタ装置は、複数のスラットが連結されたシャッタカーテンを有しており、
前記制御手段は、前記シャッタカーテンにより前記開口部を閉鎖させ且つ前記複数のスラットのうち少なくとも一部のスラット間を開放させる制御を前記警戒制御として実行することを特徴とする請求項７に記載の建物の警備システム。
【請求項９】
上階部分に設けられた開口部又は該開口部の屋外側周辺に人がいることを検知する人検知手段を更に備え、
前記制御手段は、前記階間検知手段により人が検知され且つ前記人検知手段により人が検知された場合に前記スラット間を閉鎖させることを特徴とする請求項８に記載の建物の警備システム。
【請求項１０】
前記制御手段は、前記階間検知手段により人が検知された場合に、建物内空間を報知範囲とする建物内報知装置の報知制御を警戒制御として実行することを特徴とする請求項１乃至９のいずれか１項に記載の建物の警備システム。
【発明の詳細な説明】
【技術分野】
【０００１】
本発明は、建物の警備システムに関するものである。
【背景技術】
【０００２】
住宅等の建物における警備システムとして、建物に侵入する不審者を検出するとともにその旨を報知する技術が提案されている。例えば特許文献１には、玄関ドア等のドアが開放される場合にドア開放者が不審者であれば警備装置を動作させ、ドア開放者が居住者であれば警備装置を動作させない構成が開示されている。この構成では、居住者が所持しているＩＣチップから識別情報を取得する取得手段が設けられており、取得手段が識別情報を取得していないにもかかわらずドアが開放される場合に警備装置が動作する。これにより、不審者が建物に侵入することに対する抑止力を発揮できる。
【特許文献１】特開２００３−３０３３７９号公報
【発明の開示】
【発明が解決しようとする課題】
【０００３】
ここで、玄関ドアや下階の窓を介して建物内に侵入される他に、不審者の侵入ルートとして上階が選択される場合もある。上記特許文献１に記載された構成を上階の窓に対して適用することは考えられるが、上階については、例えば下階に居住者がいる場合に上階の窓が開放されたままになっているなど、居住者の警戒意識が低い傾向がある。したがって、上階からの不審者の侵入に対する警備システムについては未だ改善の余地がある。
【０００４】
本発明は、不審者が上階部分から建物内へ侵入することに対して好適に抑止力を発揮することを主たる目的とする。
【課題を解決するための手段】
【０００５】
上記課題を解決するために、第１の発明は、建物の外壁周辺のうち上下階間に人がいることを検知する階間検知手段と、前記階間検知手段により人が検知された場合に所定の警戒制御を実行する制御手段とを備えていることを特徴とする。
【０００６】
第１の発明によれば、不審者が上階部分の窓等から建物内に侵入しようとして例えば外壁を登っている場合、その不審者が屋外側の上下階間に到達すると警備システムにおいて警戒制御が行われる。警戒制御により、窓等をシャッタ装置により閉鎖したり警報音を出力したりすることが可能であるため、仮に上階部分に対する居住者の警戒意識が低くても、不審者が上階部分から侵入してしまうことを回避できる。また、通常、居住者は建物内の階段などを利用して上階部分へ移動するため、屋外側の上下階間に人がいる場合にその人は居住者ではなく不審者であると考えられる。したがって、識別情報などにより居住者と不審者とを判別しなくても不審者を特定することができる。以上の結果、不審者が上階部分から建物内へ侵入することに対して好適に抑止力を発揮できる。
【０００７】
なお、警戒制御としては、上階部分における窓等の開口部をシャッタ装置により閉鎖させる制御や、施錠装置を施錠状態に移行させる制御、報知装置から報知音を出力させる制御などが挙げられる。また、前記階間検知手段の検知範囲が建物の周りを一周囲んでいる構成が好ましい。この場合、不審者が建物の外壁周辺のどの位置から上階部分へ登っても、不審者を確実に検知することができる。
【０００８】
第２の発明では、前記階間検知手段として、外壁における上下階の境界部に加えられた荷重を検出する荷重検出手段を備え、前記制御手段は、前記荷重検出手段により検出された荷重が所定荷重以上である場合に前記警戒制御を実行する。
【０００９】
第２の発明によれば、外壁に手や足を掛けてよじ登っている不審者が上下階の境界部に手や足を掛けた場合、その境界部に対して手や足から加えられる荷重が検出される。つまり、目立たないように不審者が梯子等を使用せずに壁を直接よじ登っている場合に、その不審者を検知することができる。
【００１０】
第３の発明では、前記制御手段は、前記荷重検出手段による荷重検出時間が所定時間以内である場合に前記警戒制御を実行する。
【００１１】
第３の発明によれば、上下階の境界部に飛来物が引っ掛かったり雪が積もったりした場合に、飛来物や雪を不審者として検知してしまうことを回避できる。つまり、不審者の検知精度を高めることができる。
【００１２】
なお、前記制御手段は、前記所定時間よりも短い第２所定時間を設定し、前記荷重検出手段による荷重検出時間が前記第２所定時間以上である場合に前記建物設備を動作させる構成としてもよい。この場合、外壁における上下階の境界部に飛来物が一瞬だけ当たった場合に、その飛来物を不審者として検知してしまうことを回避できる。つまり、不審者の検知精度をより一層高めることができる。
【００１３】
第４の発明では、前記荷重検出手段は、前記境界部に設けられた幕板に加えられた荷重を検出する。
【００１４】
第４の発明によれば、不審者が幕板に手や足を掛けることで不審者の存在が検知される。通常、外壁に取り付けられている幕板は屋外側に突出しており、不審者が壁をよじ登る際に手や足を引っ掛けやすいと考えられる。したがって、幕板に加えられた荷重を検出する構成は不審者を検知する上で効果的である。
【００１５】
なお、幕板に加えられた荷重を検出する構成としては、幕板自体に荷重検出手段が設けられている構成や、幕板を支持する支持部に荷重検出手段が設けられている構成が挙げられる。
【００１６】
第５の発明では、前記階間検知手段により検知された人の建物における周方向の位置を特定する位置特定手段を備え、前記制御手段は、前記位置特定手段により特定された位置に近い領域を対象とした警戒制御を優先的に実行する。
【００１７】
第５の発明によれば、不審者が上下階間にいる場合、不審者の居場所に近い領域を対象とした警戒制御が優先的に行われる。この場合、建物内にいる居住者は、警戒制御が優先的に行われた領域の近辺に不審者がいると推測することができるため、その居場所に合わせて適宜対処することができる。つまり、居住者の安全性を高めることができる。
【００１８】
なお、警戒制御を優先的に実行する構成としては、前記位置特定手段により特定された位置と同一の外壁面に設けられているシャッタ装置や施錠装置などを制御手段が優先的に動作させる構成が挙げられる。
【００１９】
第６の発明では、前記位置特定手段により特定された位置に基づいて避難経路を設定する避難経路設定手段と、前記避難経路設定手段により設定された避難経路を報知する避難経路報知装置とを備え、前記制御手段は、前記避難経路報知装置の報知制御を前記警戒制御として実行する。
【００２０】
第６の発明によれば、不審者の居場所に合わせて設定された避難経路が居住者に知らされるため、居住者は不審者と出会わないように建物内の安全な場所や屋外へ避難することができる。したがって、居住者の安全性をより一層高めることができる。
【００２１】
なお、避難経路報知装置としては、避難経路を音声にて知らせるスピーカ等の音声発生装置や、避難経路を画面にて知らせる表示モニタ等の表示装置などが挙げられる。
【００２２】
第７の発明では、上階部分の開口部を閉鎖可能なシャッタ装置を備え、前記制御手段は、前記シャッタ装置により前記開口部を閉鎖させる制御を前記警戒制御として実行する。
【００２３】
第７の発明によれば、不審者が屋外側の上下階間にいる場合、上階部分の開口部がシャッタ装置により閉鎖されるため、開口部からの不審者の侵入を回避できる。しかも、建物内にいる居住者はシャッタ装置が動作することで不審者の存在を察知できる。
【００２４】
第８の発明では、前記シャッタ装置は、複数のスラットが連結されたシャッタカーテンを有しており、前記制御手段は、前記シャッタカーテンにより前記開口部を閉鎖させ且つ前記複数のスラットのうち少なくとも一部のスラット間を開放させる制御を前記警戒制御として実行する。
【００２５】
第８の発明によれば、上階部分の開口部をシャッタカーテンにより閉鎖した場合でも、居住者はスラット間の隙間から屋外を見ることができる。これにより、開口部からの不審者の侵入を回避しつつ、居住者は不審者を視認することができる。したがって、居住者は不審者が建物内に侵入してくる前にいち早く対処することができる。
【００２６】
第９の発明では、上階部分に設けられた開口部又は該開口部の屋外側周辺に人がいることを検知する人検知手段を更に備え、前記制御手段は、前記階間検知手段により人が検知され且つ前記人検知手段により人が検知された場合に前記スラット間を閉鎖させる。
【００２７】
第９の発明によれば、不審者が屋外側の上下階間を通過して上階部分の開口部に到達しても、シャッタカーテンにより開口部が閉鎖されているとともにスラット間には隙間がないため、不審者は開口部から侵入できないのはもちろんのこと、スラットの間から手や棒などを差し込んで開口部の施錠装置を解錠することもできない。したがって、不審者の侵入をより確実に回避できる。
【００２８】
第１０の発明では、前記制御手段は、前記階間検知手段により人が検知された場合に、建物内空間を報知範囲とする建物内報知装置の報知制御を警戒制御として実行する。
【００２９】
第１０の発明によれば、建物内に居住者がいる場合、不審者が屋外側の上下階間にいることを居住者に確実に知らせることができる。
【発明を実施するための最良の形態】
【００３０】
以下、本発明を具体化した一実施形態を図面に基づいて説明する。本実施形態では、複数の建物ユニットを組み合わせて形成されたユニット式建物について具体化している。図１は建物１０の概要を示す正面図、図２は一階部分１１と二階部分１２との境界部周辺を示す概略断面図である。
【００３１】
図１に示すように、建物１０は、下階部分としての一階部分１１と、上階部分としての二階部分１２と、二階部分１２の上方に設けられた屋根１３とを備えている。建物１０の外周面における一階部分１１と二階部分１２との境界部には幕板１５が設けられている。幕板１５は、例えば合成樹脂材料により長尺状の板材として形成されており、一方の板面を屋外側に向けた状態で建物１０の外壁１６に取り付けられている。幕板１５は、水平方向に延びるように配置されており、建物１０の周りを一周している。なお、幕板１５は、化粧材や胴差などとして、建物１０における外壁の意匠性を高める役割を果たしている。
【００３２】
図２に示すように、外壁１６は、建物ユニットの躯体に対して外壁パネル１７が取り付けられることで形成されている。図のように一階部分１１と二階部分１２との境界部においては、上下に並べて配置された建物ユニットの躯体のうち天井大梁２１と床大梁２２とが上下に隣接している。天井大梁２１の下方には、一階部分１１の天井を形成する天井下地材２５が配置されており、床大梁２２の上方には、二階部分１２の床を形成する床下地材２６が配置されている。
【００３３】
外壁パネル１７は複数設けられており、天井大梁２１や床大梁２２、柱に対してスペーサ３２を介してそれぞれ固定されている。スペーサ３２は金属材料により長尺材として形成されており、水平方向に延びるように配置されている。スペーサ３２は天井大梁２１、床大梁２２に対してボルト等の固定手段によりそれぞれ固定されており、外壁パネル１７はスペーサ３２に対してビス等の固定手段によりそれぞれ固定されている。外壁パネル１７は、一階部分１１側と二階部分１２側とにそれぞれ配置されており、それら外壁パネル１７は上下に並んでいる。その上下に並ぶ外壁パネル１７の境界部は、天井大梁２１と床大梁２２との境界部と略同一の高さに存在しており、屋外側に露出しないように幕板１５により覆われている。
【００３４】
幕板１５は、上下に並ぶ外壁パネル１７に掛け渡すように配置されており、その厚みの分だけ外壁パネル１７のパネル面から屋外側へ突出している。また、幕板１５は、固定手段としてのタッピングネジ３５により外壁パネル１７を介してスペーサ３２に対して固定されており、スペーサ３２は外壁パネル１７を支持するだけでなく、幕板１５を支持する支持部となっている。なお、幕板１５は接着剤等により外壁パネル１７に固着されていてもよい。
【００３５】
幕板１５には、その幕板１５に加えられた荷重を検出する荷重検出手段としての幕板荷重センサ１９が設けられている。幕板荷重センサ１９は、例えば加えられた圧力を検出する圧力センサとなっており、幕板１５の上面に人の手や足が掛けられたことを検出可能となっている。この場合、建物１０の周りを一周している幕板１５のどの部分に荷重が加えられても、その旨が幕板荷重センサ１９により検出される。
【００３６】
図１の説明に戻り、二階部分１２の外壁１６には、開口部としての窓部３８が形成されている。窓部３８には、引き違い式のサッシ戸として一対のガラス戸４１と、上下一対のレール部４２（図４参照）とが設けられている。レール部４２は水平方向に延びるように設置されており、ガラス戸４１はレール部４２に沿って水平方向にスライド移動する。この場合、少なくとも一方のガラス戸４１がスライド移動することで窓部３８の開閉が行われる。ガラス戸４１は、透明性を有するガラス板がサッシ枠に嵌め込まれることで形成されており、そのサッシ枠には施錠装置としてのクレセント錠４５が設けられている。クレセント錠４５は、人により操作されることで施錠状態と解錠状態とに切り替わる構成となっており、サッシ枠における屋内側面に取り付けられている。
【００３７】
また、窓部３８にはシャッタ装置５１が設けられている。シャッタ装置５１は外壁１６に取り付けられており、ガラス戸４１よりも屋外側にて窓部３８を開閉する構成となっている。ここで、シャッタ装置５１について、図３，図４を参照しつつ説明する。図３はシャッタ装置５１の正面図、図４は窓部３８周辺の側面図である。なお、図３はシャッタ装置５１を屋外側から見た図である。また、図４において、（ａ）にスラット５５が閉状態にある場合の図を示し、（ｂ）にスラット５５が開状態にある場合の図を示す。
【００３８】
図３に示すように、シャッタ装置５１は、シャッタケース５２と、そのシャッタケース５２に巻回された状態で収納されるシャッタカーテン５３とを有している。シャッタケース５２は、横長箱状に形成されており、窓部３８の上方に取り付けられている。シャッタカーテン５３は、複数のスラット５５が上下に連結されて形成されたスラット式シャッタカーテンとなっており、各スラット５５はそれぞれ横長板状に形成されている。上下に並ぶスラット５５はそれぞれの一部が互いに係合されており、シャッタカーテン５３として一体的に上昇したり下降したりする構成となっている。なお、スラット５５同士の結合連結の構成については周知であるため、ここでは図示による説明を省略する。
【００３９】
シャッタケース５２の下方においては、上下方向に延びるガイドレール５６がシャッタカーテン５３の両側方にそれぞれ設けられており、シャッタカーテン５３はガイドレール５６に沿って昇降する。また、シャッタケース５２には回転可能な巻取ドラム５７が設けられている。巻取ドラム５７には、シャッタカーテン５３のスラット５５のうち最上部のものが連結されており、巻取ドラム５７が回転することでシャッタカーテン５３の巻き取りや繰り出しが行われる。また、シャッタ装置５１には電動モータ等により構成されている巻取駆動部５８が設けられており、巻取駆動部５８が駆動することで巻取ドラム５７が回転し、シャッタカーテン５３による窓部３８の開閉が行われる。
【００４０】
ガイドレール５６を挟んでシャッタケース５２の下方にはストッパ部６１が設けられている。ストッパ部６１は長尺状の板材となっており、シャッタケース５２と平行になるように配置されている。ストッパ部６１の両端部はそれぞれガイドレール５６の下端部に接続されており、シャッタカーテン５３の下端部がガイドレール５６の下端部よりも下方へ降下することを規制している。
【００４１】
ストッパ部６１は、その板面を上下方向に向けて窓部３８の下端部に配置されており、板幅の分だけ窓部３８（外壁１６の表面）から屋外側へ突出している。ストッパ部６１には、そのストッパ部６１に加えられる荷重を検出する窓側荷重センサ６２が設けられている。窓側荷重センサ６２は、例えば加えられた圧力を検出する圧力センサとなっており、ストッパ部６１の上面に人の手や足が掛けられたことを検出可能となっている。つまり、窓部３８の周辺に人の手や足が掛けられたことを検出可能となっている。
【００４２】
また、シャッタ装置５１には、シャッタカーテン５３の各スラット５５を開閉させる開閉ガイド機構６５が設けられている。開閉ガイド機構６５は、スラット５５ごとにその一部と係合可能な係合リンク部６６を有しており、係合リンク部６６は各スラット５５と係合して動作することでそれらスラット５５を開閉する。開閉ガイド機構６５は、電動モータ等により構成されているスラット駆動部６７が駆動することで動作し、スラット５５を開閉させる。
【００４３】
スラット５５はその軸線が水平方向に延びるように回転可能に軸支されており、回転することで開状態と閉状態とに移行する。スラット５５は、閉状態にある場合に鉛直方向に起立しており、スラット５５同士の上下端部が当接又は近接している。この場合、図４（ａ）に示すようにスラット５５間が閉鎖されており、スラット５５同士の間には隙間が形成されていない。仮に隙間があってもその隙間は極めて小さくなっている。また、スラット５５は回転することで傾斜し、屋外側への上り傾斜となることで開状態となる。開状態にある場合、図４（ｂ）に示すようにスラット５５間が開放されており、スラット５５同士の間に隙間が形成されている。
【００４４】
本実施形態の建物１０においては不審者の侵入に対して警備を行う警備システムが構築されている。ここで、建物１０の警備システムに関する電気的な構成について、図５を参照しつつ説明する。
【００４５】
図５に示すように、警備システムはホームサーバ７１を含んで構成されている。ホームサーバ７１は、ＣＰＵや各種メモリ等からなるマイクロコンピュータを含んで構成されており、記憶部７２とタイマ７３とを有している。記憶部７２は、幕板１５、シャッタ装置５１のストッパ部６１に加えられた荷重が人によるものか否かを判定するため判定値が記憶されており、その判定値としては荷重に関する値や時間に関する値などが挙げられる。タイマ７３は時間経過を計測する機能を有している。
【００４６】
ホームサーバ７１には、幕板荷重センサ１９と窓側荷重センサ６２とが接続されており、それらセンサ１９，６２は検出信号をホームサーバ７１に対して出力する。また、ホームサーバ７１には、建物設備としてシャッタ装置５１の巻取駆動部５８及びスラット駆動部６７が接続されており、ホームサーバ７１は指令信号を出力することで巻取駆動部５８及びスラット駆動部６７の動作制御を行う。つまり、シャッタ装置５１の動作制御を行う。さらに、ホームサーバ７１には建物内報知装置としての警報装置７５が接続されている。警報装置７５は、警報音や音声の出力が可能なスピーカを含んで構成されており、屋内空間における窓部３８の周辺に設置されている。ホームサーバ７１は指令信号を出力することで警報装置７５の動作制御を行う。なお、警報装置７５は、警報画面を表示する表示モニタ等を備えていてもよい。
【００４７】
次に、ホームサーバ７１によって実行される警備システムの制御処理について、図６のフローチャートを参照しつつ説明する。なお、ホームサーバ７１は、この制御処理を所定の時間周期で繰り返し行う。
【００４８】
図６において、ステップＳ１０１では、幕板荷重センサ１９、窓側荷重センサ６２の検出信号を取得する。ステップＳ１０２では、幕板１５に荷重が加えられたか否かを判定する。幕板１５にて荷重が検出された場合、ステップＳ１０３に進み、検出された荷重が所定荷重以上であるか否かを判定する。この場合、所定荷重は例えば５ｋｇとして記憶部７２に記憶されており、記憶部７２から所定荷重を取得する。ここでは、幕板１５に人の手や足が掛けられた場合には５ｋｇ以上の荷重が幕板１５に加えられ、幕板１５に猫や鳥等の動物が乗った場合には５ｋｇより小さい荷重が幕板１５に加えられると想定している。
【００４９】
検出された荷重が所定荷重以上である場合、ステップＳ１０４に進み、荷重検出の継続時間が所定継続時間以下であるか否かを判定する。この場合、所定継続時間は例えば５分として記憶部７２に記憶されており、記憶部７２から予定継続時間を取得し、タイマ７３により荷重検出の継続時間を計測するとともに取得する。ここでは、幕板１５に人の手や足が掛けられた場合には５分以下で幕板１５から手や足が離されて荷重が検出されなくなり、幕板１５に飛来物や雪などが乗った場合には５分より長い時間に亘って幕板１５に荷重が継続して加えられると想定している。
【００５０】
上記のように、幕板１５に荷重が加えられ、その荷重が所定荷重以上であり、さらに荷重検出の継続時間が所定継続時間以下である場合、ステップＳ１０５に進み、不審者が幕板１５に手や足を掛けたとして、警戒制御の１つとしてシャッタ装置５１の巻取駆動部５８の制御を実行し、シャッタカーテン５３により窓部３８を閉鎖させる。また、この場合、ステップＳ１０６にて、他の警戒制御としてシャッタ装置５１のスラット駆動部６７の制御を実行し、シャッタカーテン５３のスラット５５を開状態に移行させる。なお、ステップＳ１０２〜Ｓ１０４のいずれか１つでもＮＯ判定である場合、そのまま本制御処理を終了する。
【００５１】
ステップＳ１０７では、シャッタ装置５１のストッパ部６１に荷重が加えられたか否かを判定する。ストッパ部６１にて荷重が検出された場合、ステップＳ１０８に進み、不審者が幕板１５を通過して窓部３８又はその周辺に到達したとして、シャッタ装置５１のスラット駆動部６７を制御し、シャッタカーテン５３のスラット５５を閉状態に移行させる。また、この場合、ステップＳ１０９にて、警報装置７５を制御し、警報音や音声を出力させる。
【００５２】
上記のようにシャッタ装置５１や警報装置７５が警備動作することにより、以下の効果が得られる。
【００５３】
不審者が窓部３８から侵入するために外壁１６をよじ登り、図１に示すＡ１のように幕板１５に手や足を掛けて一階部分１１と二階部分１２との境界部を通過しようとすると、シャッタ装置５１が動作して窓部３８がシャッタカーテン５３により閉鎖される。これにより、窓部３８から不審者が二階部分１２内に侵入することを回避しつつ、シャッタ装置５１が動作することで不審者の存在を居住者に察知させることができる。また、この場合、シャッタカーテン５３のスラット５５が開状態となる。これにより、二階部分１２内にいる居住者はスラット５５間の隙間から屋外の様子を見ることで、本当に不審者が外壁１６をよじ登っているのか否かを確認することができる。この結果、居住者はいち早く逃げたり警察等の外部機関へ電話にて通報したりすることができる。
【００５４】
その後、不審者が幕板１５を越えて窓部３８に到達し、図１に示すＡ２のようにシャッタ装置５１のストッパ部６１に手や足を掛けると、シャッタカーテン５３のスラット５５が閉状態にされるとともに警報装置７５から警報音等が出力される。これにより、不審者がスラット５５の間の隙間からガラス戸４１を割ってクレセント錠４５を解錠することを回避できるとともに、不審者が窓部３８に到達したことを居住者に知らせることができる。
【００５５】
以上の結果、仮に二階部分１２に対する居住者の警戒意識が低くても、不審者が二階部分１２の窓部３８から建物１０内に侵入することに対する抑止力を発揮できる。
【００５６】
また、幕板１５は外壁１６の表面から屋外側へ突出しているため、不審者は外壁１６をよじ登る際に必然的に幕板１５に手や足を掛けると考えられる。したがって、目立たないように不審者が梯子等を使用せずに壁を直接よじ登っている場合に、その不審者を検知することができる。この結果、幕板１５に人の手や足が掛けられたことを検出することで不審者を検出することは効果的である。
【００５７】
外壁１６をよじ登っている人を検出することで不審者を検出するため、居住者にとって使い勝手の良い建物１０の警備システムを実現することができる。通常、外壁１６をよじ登って幕板１５を通過する人は居住者ではなく不審者であると考えられる。これは、居住者は二階部分１２へ移動する場合に建物１０内の階段を使用し、仮に屋外側から二階部分１２へ登るとしても梯子等を使用するため、幕板１５に手や足を掛けるとは考えられないためである。したがって、例えば識別情報などにより居住者と不審者とを判別する構成としなくても不審者を特定することができ、居住者は識別情報の記憶されたＩＣチップ等を所持する必要がない。つまり、居住者にＩＣチップ等を所持することの煩わしさを感じさせることがない。
【００５８】
幕板１５が建物１０の周りを一周するように設けられているとともに、幕板１５のどの部分に荷重が加えられてもその旨が幕板荷重センサ１９により検出されるため、不審者が外壁１６のうちどの部分をよじ登っていても幕板１５を乗り越えようとすれば、その不審者を検出することができる。したがって、不審者をより確実に検出することができる。
【００５９】
幕板１５に加えられる荷重が所定荷重以上であり、且つ荷重が加えられる継続時間が所定継続時間以下である場合に人が幕板１５に手や足を掛けているとして不審者を検出するため、猫や鳥等の動物が幕板１５に乗ることで所定荷重より小さい荷重が幕板１５に加えられたり、幕板１５に飛来物や雪などが乗ることで所定継続時間より長い時間継続して幕板１５に荷重が加えられたりしても、猫や鳥、飛来物、雪等を不審者として検出してしまうことを回避できる。つまり、不審者の検出精度を高めることができる。
【００６０】
（他の実施形態）
本発明は上記実施形態の記載内容に限定されず、例えば次のように実施してもよい。
【００６１】
（１）一階部分１１と二階部分１２との境界部を人が上方へ通過することを赤外線センサ等の人感センサにより検出する構成としてもよい。この場合でも、二階部分１２の窓部３８から建物１０内へ侵入しようとしている不審者を検出することができる。しかも、人感センサによる検出範囲を外壁周辺の屋外空間における上下階の境界部とする構成であれば、外壁１６をよじ登っている不審者に加えて、梯子等を利用することで外壁１６や幕板１５に手や足を掛けることなく二階部分１２へ登っている不審者を検出することができる。したがって、不審者をより一層確実に検出することができる。
【００６２】
（２）幕板荷重センサ１９等の荷重検出手段は幕板１５の上方や下方に設けられていてもよい。要は、荷重検出手段が上下階間に設けられていればよい。例えば、図７に示すように、幕板１５よりも下方の軒部８１に軒部荷重センサ８１ａが配置されているとともに、幕板１５よりも上方にあるバルコニー８２の手摺８３に手摺荷重センサ８３ａが配置されている構成とする。
【００６３】
この構成では、軒部８１は玄関等の上方に配置され、外壁１６から屋外側へ突出している。また、バルコニー８２は軒部８１の上方に配置され、外壁１６から屋外側へ張り出した張出部となっており、バルコニー８２に面した外壁１６には出入口８５が形成されている。出入口８５にはシャッタ装置５１が設けられており、シャッタ装置５１により出入口８５が閉鎖可能となっている。バルコニー８２において、手摺８３はバルコニー８２の床面における周縁部に沿って立設されている。軒部荷重センサ８１ａ及び手摺荷重センサ８３ａはホームサーバ７１と電気的に接続されており、ホームサーバ７１に対して検出信号をそれぞれ出力する。ホームサーバ７１は、軒部８１に荷重が加えられたことが検出され、その後にバルコニー８２の手摺８３に荷重が加えられたことが検出された場合に、シャッタ装置５１を制御して出入口８５を閉鎖する。
【００６４】
この場合、不審者がバルコニー８２から二階部分１２内へ侵入するべく、図に示すＡ３のように軒部８１に手や足を掛けてその軒部８１によじ登り、その後、図に示すＡ４のようにバルコニー８２の手摺８３に手や足を掛けてバルコニー８２に侵入しようとすると、バルコニー８２の出入口８５が閉鎖される。したがって、不審者が幕板１５に手や足を掛けずに一階部分１１と二階部分１２との境界部を通過して二階部分１２へ登ったとしても、不審者を検出できるとともにその不審者がバルコニー８２の出入口８５から建物１０内へ侵入することを回避できる。
【００６５】
なお、軒部荷重センサ８１ａや手摺荷重センサ８３ａが幕板１５の上方や下方に設けられている構成は、バルコニー８２や軒部８１の一部が存在するなどして幕板１５が建物１０の周りにおいて途切れている場合に有効である。これは、幕板１５が途切れた範囲においても不審者がいることを検出できるためである。
【００６６】
（３）幕板１５に荷重が加えられた場合に、荷重が加えられた位置を特定可能な構成としてもよい。例えば、幕板荷重センサ１９が複数設置されている構成とする。この構成について図８を参照しつつ説明する。図８は二階部分１２の概略平面図である。
【００６７】
図８に示すように、建物１０において、外壁１６としての外壁１６ａ〜１６ｄにはそれぞれ幕板１５ａ〜１５ｄが設置されており、それら幕板１５ａ〜１５ｄにはそれぞれ幕板荷重センサ１９ａ〜１９ｄが設けられている。幕板荷重センサ１９ａ〜１９ｄはホームサーバ７１と電気的に接続されており、検出信号をホームサーバ７１に対して出力する。ホームサーバ７１は幕板荷重センサ１９ａ〜１９ｄの検出信号に基づいて、位置特定手段として、幕板１５ａ〜１５ｄのうち荷重が加えられた幕板を特定する。
【００６８】
ここで、二階部分１２には外壁１６ａ〜１６ｄのそれぞれに窓部３８ａ〜３８ｄが形成されており、窓部３８ａ〜３８ｄにはそれぞれシャッタ装置５１ａ〜５１ｄが設けられている。また、屋内空間における窓部３８ａ〜３８ｄの近傍にはそれぞれ警報装置７５ａ〜７５ｄが設置されている。シャッタ装置５１ａ〜５１ｄ及び警報装置７５ａ〜７５ｄはホームサーバ７１と電気的に接続されている。
【００６９】
ホームサーバ７１は、幕板１５ａ〜１５ｄのうち荷重が加えられた幕板に応じて、避難経路設定手段として居住者用の避難経路を設定するとともに、警戒制御としてシャッタ装置５１ａ〜５１ｄ及び警報装置７５ａ〜７５ｄの動作制御を行う。例えば、幕板１５ａに荷重が加えられた場合、不審者の侵入方向が窓部３８ａ側であると判定し、居住者が窓部３８ａの近くを通らずに一階部分１１へ降りることができる経路や、窓部３８ａから離れた例えばシェルタなどの安全な部屋に行くことができる経路を避難経路として特定する。そして、シャッタ装置５１ａを制御して窓部３８ａを閉鎖するとともに、警報装置７５ａを制御して警報音声を出力させる。ここで、避難経路報知装置としての警報装置７５ａは、例えば不審者の侵入方向が窓部３８ａ側であることや避難経路などを知らせる音声を出力する。
【００７０】
この場合、二階部分１２にいる居住者はシャッタ装置５１ａ〜５１ｄのうち不審者側のシャッタ装置５１ａが優先的に動作するとともに、警報装置７５ａ〜７５ｄのうち不審者側の警報装置７５ａが優先的に動作することによって、不審者が二階部分１２へ侵入しようとしていることを察知できるだけでなく、不審者の居場所が窓部３８ａの近くであることを推測できる。また、仮に不審者の居場所を推測できなくても、音声によって報知された避難経路に従って移動することで、不審者と鉢合わせしないように安全な部屋や屋外へ避難することができる。つまり、二階部分１２への不審者の侵入に対して抑止力を発揮しつつ、居住者の安全性を高めることができる。
【００７１】
なお、屋外側壁面を照らすことが可能な照明器具を外壁１６ａ〜１６ｄのそれぞれに対応して設け、ホームサーバ７１は、それら外壁１６ａ〜１６ｄのうち荷重が加えられた幕板１５のある外壁１６を照らすように照明器具を制御する構成としてもよい。この場合、不審者が照らされるため、不審者の存在を居住者などが発見しやすくなる。しかも、照明器具により照らすことが不審者を威嚇することになるため、外壁１６に登ることを不審者にやめさせることができる。
【００７２】
また、不審者の侵入方向が窓部３８ａ側である場合に、シャッタ装置５１ａに加えてシャッタ装置５１ｂ，５１ｄを制御して窓部３８ａ，３８ｂ，３８ｄを閉鎖してもよい。同様に、警報装置７５ａに加えて警報装置７５ｂ，７５ｄを制御して警報音声を出力させてもよい。さらに、幕板荷重センサ１９ａ〜１９ｄのうち荷重を検出したセンサの検出レベルが上がる構成としてもよい。例えば、荷重を検出したセンサがその後にＯＦＦ状態に移行する構成とする。この場合、不審者の位置を特定しつつ、幕板荷重センサ１９ａ〜１９ｄについて省エネルギ効果を得ることができる。
【００７３】
（４）幕板荷重センサ１９は、幕板１５を支持するスペーサ３２や天井大梁２１、床大梁２２などに設けられていてもよい。要は、幕板１５に加えられた荷重を検出することが可能な構成であればよい。
【００７４】
（５）幕板荷重センサ１９は、外壁１６から突出しないように設けられた幕板１５に設けられていてもよい。つまり、外壁１６に加えられた荷重を荷重検出手段により検出することが可能な構成であればよい。この構成では、例えば不審者が屋根１３の軒先にロープを引っ掛けてそのロープを手で手繰りつつ壁面を歩くように外壁１６を登っている場合に、足で外壁１６に対して横方向から加えられた荷重が検出される。したがって、この構成でも不審者を検出することができる。
【００７５】
（６）幕板荷重センサ１９による荷重検出の継続時間が所定継続時間より長い場合に、不審者が幕板１５に手や足を掛けたと判定してもよい。この構成では、例えば飛来物が幕板１５に当たった場合にそれを不審者が幕板１５に手や足を掛けたこととは判定しない。したがって、不審者の検出精度を高めることができる。
【００７６】
（７）一階部分１１と二階部分１２との境界部のうち一部にて不審者を検出する構成としてもよい。例えば、幕板荷重センサ１９が幕板１５の一部に設けられている構成や、幕板１５が境界部の一部に設けられている構成とする。
【００７７】
（８）クレセント錠４５が建物設備としてホームサーバ７１により動作制御される構成としてもよい。例えば、ホームサーバ７１にクレセント錠４５が電気的に接続されている構成とし、ホームサーバ７１は、一階部分１１と二階部分１２との境界部を通過する不審者が検出された場合にクレセント錠４５を施錠状態に移行させる構成とする。この場合でも、不審者が二階部分１２から建物１０内に侵入することに対して抑止力を発揮できる。
【００７８】
（９）壁によじ登っている不審者が窓部３８又はその周辺に到着したことを検出する人検知手段としては、荷重センサが窓部３８の下縁部に設けられていてもよく、赤外線センサ等の人感センサが設けられていてもよい。
【００７９】
（１０）シャッタ装置５１は、シャッタカーテン５３のスラット５５が開閉しない構成でもよい。この場合、ホームサーバ７１は、例えば幕板１５に不審者の手や足が掛けられたと判定した時に、シャッタ装置５１を制御し、シャッタカーテン５３により少なくともクレセント錠４５が隠れるように窓部３８を部分的に閉鎖する。これにより、不審者はクレセント錠４５を見ることができないため不審者が窓部３８から侵入することに対する抑止力を発揮できる。しかも、二階部分１２内にいる居住者等は屋外の様子を見ることができる。また、ホームサーバ７１は、窓部３８の周辺に不審者の手や足が掛けられたと判定した時に、シャッタ装置５１を制御し、シャッタカーテン５３により窓部３８の全てを閉鎖する。これにより、不審者が窓部３８から侵入することを回避できる。
【００８０】
（１１）建物１０が複数階建てであれば、幕板荷重センサ１９を有する幕板１５は一階部分１１と二階部分１２との境界部に加えて又は代えて他の上下階の境界部に設けられていてもよい。要は、上下階の境界部において人が通過することを検出する構成であればよい。
【図面の簡単な説明】
【００８１】
【図１】本実施形態における建物の概要を示す正面図。
【図２】一階部分と二階部分との境界部周辺を示す概略断面図。
【図３】シャッタ装置の正面図。
【図４】窓部周辺の側面図。
【図５】建物の警備システムに関する電気的な構成を示すブロック図。
【図６】警備システムの制御処理を示すフローチャート。
【図７】別の建物の概要を示す正面図。
【図８】警備システムの別例を示す二階部分の概略平面図。
【符号の説明】
【００８２】
１０…建物、１１…一階部分、１２…上階部分としての二階部分、１５…幕板、１６…外壁、１９…階間検知手段及び荷重検出手段としての幕板荷重センサ、３８…開口部としての窓部、５１…建物設備としてのシャッタ装置、５５…シャッタカーテン、５５…スラット、６２…人検知手段としての窓側荷重センサ、７１…制御手段、位置特定手段、避難経路設定手段としてのホームサーバ、７５…避難経路報知装置及び建物内報知装置としての警報装置、８１ａ…階間検知手段を構成する軒部荷重センサ、８３ａ…階間検知手段を構成する手摺荷重センサ。
【図１】
2010122775.tif 000003
【図２】
2010122775.tif 000004
【図３】
2010122775.tif 000005
【図４】
2010122775.tif 000006
【図５】
2010122775.tif 000007
【図６】
2010122775.tif 000008
【図７】
2010122775.tif 000009
【図８】
2010122775.tif 000010